(57)【特許請求の範囲】
【請求項１】
ソーラーパネル部で発電される電力を用いて駆動するソーラーパネルを備えた空気調和装置において、太陽光の受光面を有するソーラーパネル部と、このソーラーパネル部に固定されるパネル支持具と、このパネル支持具に連結され、空気調和装置に取り付けられるパネル脚固定具とを備え、このパネル脚固定具はパネル支持具を回動自在に固定する支点軸と、パネル支持具を固定する固定手段とを有し、これら支点軸及び固定手段によりソーラーパネル部の受光面の角度調整可能にし、且つ前記パネル支持具及び前記パネル脚固定具には、ソーラーパネル部受光面の仰角と、この空気調和装置の設置場所の緯度における季節毎の受光面の最適角度とが表示された角度表示ラベルが設けられていることを特徴とする空気調和装置。
【発明の詳細な説明】
【０００１】
【発明の属する技術分野】
本発明は、太陽光発電を利用したソーラーパネルを取り付けた空気調和装置に関する。
【０００２】
【従来の技術】
近年、自然エネルギーの有効利用を図る目的で、太陽光発電を利用した空気調和装置が開発されている。空気調和装置の室外機にソーラーパネルを取り付け、このソーラーパネルで発電された電力と商用電源の電力との双方を用いて空気調和装置を駆動するものである（例えば、特開２０００−２８１７６号公報図４参照）。
【０００３】
図５は従来のソーラーパネルを備えた分離型空気調和装置の一例を示す外観図である。図５において、１は分離型空気調和装置１０の室外機、２は室内機であり、これらは冷媒管３及びユニット間ケーブル４で繋がれている。室外機１の上方にはソーラーパネル６が取り付けられ、このソーラーパネル６は接続ケーブル５を介して室外機１の端子板（図示せず）に接続され、端子板から室外機１内部の圧縮機やファンモータ等（図示せず）に接続されるとともに、ユニット間ケーブル４を介して室内機２にも接続されている。
【０００４】
また、このソーラーパネル６は、発電効率を良くするため、その受光面が太陽光に対しできるだけ垂直になるように設置されており、ソーラーパネル６を室外機１に取り付けるパネル取付具７が室外機１の両側面に堅固に固定されている。
【０００５】
【発明が解決しようとする課題】
しかし、従来のパネル取付具７は、一旦室外機１に取り付けられると、着脱作業が容易でないため、ソーラーパネル６の受光面１５Ａが最初に取り付けられた状態に固定され、季節により異なる日射角度に対して最適な角度を得ることが難しかった。また、室外機１内の上部に電気関連部品を配置するタイプのものは、外装ケースの天板が外れるものが一般的であり、点検修理時には、ソーラーパネル６を外し、さらに天板を外して点検修理作業を行っていた。このため、点検修理作業の時間に加えソーラーパネル６の脱着に作業時間を費やすことになった。
【０００６】
本発明は上述のような従来の問題を解消したものであり、ソーラーパネルの角度調整を容易にするとともに、点検修理時等における外装ケースの脱着作業を容易にしたソーラーパネルを備えた空気調和装置を提供することを目的とする。
【０００7】
【課題を解決するための手段】
前記目的を達成するために、請求項１記載の発明は、ソーラーパネル部で発電される電力を用いて駆動するソーラーパネルを備えた空気調和装置において、太陽光の受光面を有するソーラーパネル部と、このソーラーパネル部に固定されるパネル支持具と、このパネル支持具に連結され、空気調和装置に取り付けられるパネル脚固定具とを備え、このパネル脚固定具はパネル支持具を回動自在に固定する支点軸と、パネル支持具を固定する固定手段とを有し、これら支点軸及び固定手段によりソーラーパネル部の受光面の角度調整可能にし、且つ前記パネル支持具及び前記パネル脚固定具には、ソーラーパネル部受光面の仰角と、この空気調和装置の設置場所の緯度における季節毎の受光面の最適角度とが表示された角度表示ラベルが設けられていることを特徴とする。
【００１４】
【発明の実施の形態】
以下、本発明の一実施形態を図面に基づいて説明する。
【００１５】
図１は本発明による一実施形態におけるソーラーパネルを備えた空気調和装置の室外機の外観斜視図であり、図２は図１の側面図、図３は図２のソーラーパネル部の拡大側面図、図４は図１の正面図である。なお、図５と同一の構成要素には同一の符号を付してその詳細な説明は省略する。
【００１６】
図１及び図２において、１は空気調和装置１０の室外機であり、この室外機１の上方にはソーラーパネル６を有するソーラーパネル装置（以下パネル装置という）１２が取り付けられている。パネル装置１２は、２枚のパネル脚固定具１３ａ、１３ｂ、２枚のパネル支持具１４ａ、１４ｂ及びソーラーパネル部（以下パネル部という）１５を有している。
【００１７】
室外機１は本体ケースにおいて、その天板３５が前後のパネル及び左右の側板１６ａ、１６ｂに嵌め込まれ、左右の側板１６ａ、１６ｂにねじ止め固定され、これらのねじ１８、１８を外すことによって、天板３５が上方に外れるようになっている。
【００１８】
パネル脚固定具１３ａ、１３ｂは、略台形状の２枚一対の金属板で、パネル脚固定具１３ａ、１３ｂの下部にはそれぞれ複数のねじ孔１７、１７・・が形成され、室外機１の左右の側板１６ａ、１６ｂにネジ止め固定されている。パネル脚固定具１３ａ、１３ｂには室外機１の本体ケースの組立ねじ（特に天板を固定するねじ）１８、１８を避けるための長孔２１、２１がそれぞれ形成されている。パネル脚固定具１３ａ、１３ｂの前上部にはそれぞれ支点軸２２ａ、２２ｂが設けられている。また、後上部にはパネル支持具１４ａ、１４ｂを固定するための固定用ねじ孔２３ａ、２３ｂが設けられている。
【００１９】
パネル支持具１４ａ、１４ｂは、２枚一対の金属板で両パネル脚固定具１３ａ、１３ｂの外側から取り付けられる。パネル支持具１４ａ、１４ｂの下部は下縁部が円弧形の弓形をしており、この弓形部２６ａ、２６ｂの上縁が階段状に折曲形成され、それぞれの金属板間が上方に向けて階段状に広がっている。階段状に広がった上部がパネル部１５の受光面１５Ａ裏側にネジ止め固定されている。
【００２０】
弓形部２６ａ、２６ｂには、前部に支点軸２２ａ、２２ｂ用の軸受け孔３１ａ、３１ｂ、中央部に差込部３２ａ、３２ｂ、後部に円弧孔２５ａ、２５ｂが設けられている。この円弧孔２５ｂの縁周辺にはパネル部１５の受光面１５Ａの仰角（水平面と受光面との角度）を表示する角度指示ラベル３３が貼付されている。
【００２１】
支点軸２２ａ、２２ｂ用の軸受け孔３１ａ、３１ｂは、パネル脚固定具１３ａ、１３ｂの支点軸２２ａ、２２ｂに回動自在に枢着され、差込部３２ａ、３２ｂは、パネル脚固定具１３ａ、１３ｂの上部を、それぞれ弓形部２６ａ、２６ｂとともに上方から回動自在に挟持している。円弧孔２５ａ、２５ｂは、支点軸２２ａ、２２ｂ用の軸受け孔３１ａ、３１ｂを中心とし、円弧状に形成され、かつ、前記パネル脚固定具１３ａ、１３ｂに設けられた固定用ねじ孔２３ａ、２３ｂに対向する位置に設けられている。この円弧孔２５ａ、２５ｂを通して固定用ねじ孔２３ａ、２３ｂに固定ねじ３４ａ、３４ｂａで締め付けることにより、パネル支持具１４ａ、１４ｂがパネル脚固定具１３ａ、１３ｂに固定される。
【００２２】
パネル部１５は、パネル支持具１４ａ、１４ｂの上部に取り付けられ、受光面１５Ａが室外機１の正面側斜め上方に向けられ、水平に対して１５°〜４０°の範囲で変更できる。
【００２３】
図３において、角度指示ラベル３３は、左右のパネル支持具１４ａ、１４ｂのいずれか一方（図３においては右のパネル支持具１４ｂ）の外側に貼付されており、円弧孔２５ａ、２５ｂ周縁の位置に角度を表示し、固定ねじ３４ａ、３４ｂの固定位置（または固定用ねじ孔２３ａ、２３ｂの固定される位置）とその固定位置の角度指示ラベル３３に表示された角度からパネル部１５の受光面１５Ａの仰角が分かるようにしたものである。さらに、角度指示ラベル３３には、空気調和装置の設置場所の緯度（北は北海道から南は沖縄まで）における季節（または月毎）毎の受光面１５Ａの最適角度が表示されているので、設置された場所及び季節毎の最適角度位置を知ることができる。
【００２４】
このように構成された空気調和装置１０のパネル装置１２において、設置時、空気調和装置１０の室外機１は、正面を太陽光の入射する方角（北向きを除く方角）に向けて設置されるようにする。次に、角度指示ラベル３３の表示に従ってパネル支持具１４ａ、１４ｂを支点軸２２ａ、２２ｂ中心に回動させ、受光面１５Ａの傾斜角度（１５°〜４０°の範囲）を調整する。角度調整後、固定ねじ３４ａ、３４ｂで締め付けることにより、パネル支持具１４ａ、１４ｂをパネル脚固定具１３に固定する。受光面１５Ａの角度調整をすることによって、受光部１５Ａに太陽光を多く取り入れることができる。
【００２５】
以上説明したように、本実施形態における空気調和機装置１０は、ソーラーパネル６の太陽光受光面１５Ａが、空気調和装置１０の設置場所及び季節に応じた最適角度に容易に変更できるので、太陽光発電の電力を最大限に発揮して空気調和装置１０のエネルギー効率を向上することができる。
【００２６】
また、パネル脚固定具１３ａ、１３ｂが室外機１の両側板１６ａ、１６ｂに固定された後、パネル支持具１４ａ、１４ｂで左右パネル脚固定具１３ａ、１３ｂの外側方向から挟み込むように固定しているので、左右パネル脚固定具１３ａ、１３ｂが室外機１に堅固に固定される。
【００２７】
また、本実施形態の室外機１のように天板３５が上方に外れるタイプの室外機１においては、パネル脚取付具１３ａ、１３ｂが天板３５組立ねじ１８、１８の脱着に支障の無いようになっており、かつ、室外機１の上方にパネル装置１２の部品を配置していないので、パネル装置１２を側板１６ａ、１６ｂに取り付けたまま、天板３５を室外機１から容易に外すことができる。天板３５を室外機１から外すことにより、室外機１内の上部に配置された電気部品や電子基板等の電装部品（図示せず）を容易に点検でき、従来のような点検作業時のパネル装置１２の脱着時間を省略することができる。
【００２８】
また、パネル支持具１４ａ、１４ｂの差込部３２ａ、３２ｂがパネル脚固定具１３ａ、１３ｂを挟持して固定されるので、パネル部１５の角度調整時に固定ねじ３４ａ、３４ｂをゆるめても、パネル支持具１４ａ、１４ｂがこの差込部３２と支点軸２２ａ、２２ｂとに押えられ、外れて落下するのを防止できる。
【００２９】
以上、一実施形態に基づいて本発明を説明したが、本発明はこれに限定されるものではない。本実施形態では、パネル支持具１４ａ、１４ｂの前部に支点軸２２ａ、２２ｂを配置し、パネル支持具１４ａ、１４ｂの後部が回動してパネル部１５の角度を変更可能にしているが、この支点軸２２ａ、２２ｂの位置は前部に限らずパネル支持具１４ａ、１４ｂの中央部や後部であっても良い。
【００３０】
また、本実施形態では、パネル支持具１４ａまたは１４ｂに角度指示ラベル３３を貼付しているが、パネル支持具１４ｂにこの角度指示ラベル３３の内容を刻印したものであっても良い。
【００３１】
【発明の効果】
以上説明したように、本発明の空気調和装置は、ソーラーパネルで発電される電力を用いて駆動するソーラーパネルを備え、室外機に固定されるパネル脚固定具と、このパネル脚固定具に回動自在に取り付けられ、ソーラーパネルを載置したパネル支持具とで構成され、ソーラーパネルの太陽光受光面の角度が容易に変更でき、かつ、日本全国の設置場所の緯度における季節毎の最適角度が表示されているので、ソーラーパネルの太陽光受光面を最適角度に調整することにより、空気調和機装置の太陽光発電の電力が最大限に発揮でき、エネルギー効率を向上することができる。
【図面の簡単な説明】
【図１】本発明による一実施形態におけるソーラーパネルを備えた空気調和装置の室外機の外観斜視図である。
【図２】図１の側面図である。
【図３】ソーラーパネルの拡大側面図である。
【図４】図１の正面図である。
【図５】従来のソーラーパネルを備えた空気調和装置の外観斜視図である。
【符号の説明】
１  室外機
６  ソーラーパネル
１０  空気調和装置
１２  パネル装置
１３ａ、１３ｂ  パネル脚固定具
１４ａ、１４ｂ  パネル支持具
１５  ソーラーパネル部
１５Ａ  受光面
１６ａ、１６ｂ  左右側板
１７  ねじ孔
１８  組立ねじ
２１  長孔
２２ａ、２２ｂ  支点軸
２３ａ、２３ｂ  固定用ねじ孔（固定手段）
２５ａ、２５ｂ  円弧孔
２６ａ、２６ｂ  弓形部
３２ａ、３２ｂ  差込部
３３  角度指示ラベル
３４ａ、３４ｂ  固定ねじ（固定手段）
３５  天板
【図１】
0004480260.tif 000002
【図２】
0004480260.tif 000003
【図３】
0004480260.tif 000004
【図４】
0004480260.tif 000005
【図５】
0004480260.tif 000006